(57)【要約】【課題】サイトを特定の閲覧者に対してのみ公開し、更新されないサイトを減少させる。【解決手段】編集画面送信部２０７は、サイトを編集するための編集画面をユーザ端末に対して送信する。閲覧者選択画面送信部２０８は、ユーザ端末にてサイトが編集された後に、編集されたサイトを閲覧させる特定の閲覧者を選択するための閲覧者選択画面をユーザ端末に対して送信する。ユーザ管理部２０３は、ユーザごとに、そのユーザを特定の閲覧者として選択したユーザ端末にて編集されたサイトを管理する。リンク挿入部２０９は、編集画面をユーザ端末に対して送信するに際し、そのユーザ端末を使用するユーザを特定の閲覧者として選択したユーザ端末があれば、そのユーザ端末にて編集されたサイトをリンク先とするＵＲＬリンクを、編集画面に挿入する。【選択図】図１
2007219718.tif 000002
【特許請求の範囲】
【請求項１】
複数のユーザの各々により使用される複数の端末と、前記複数の端末の各々にて編集される複数のサイトを管理するサイト管理サーバとを有してなるサイト管理システムにおいて、
前記サイト管理サーバは、
前記サイトを編集するための編集画面を前記端末に対して送信する編集画面送信手段と、
前記端末にて前記編集画面上でサイトが編集された後に、編集されたサイトを閲覧させる特定の閲覧者となるユーザを選択するための閲覧者選択画面を前記端末に対して送信する閲覧者選択画面送信手段と、
前記複数のユーザごとに、該ユーザを前記特定の閲覧者として前記閲覧者選択画面上で選択した端末にて編集されたサイトを管理するユーザ管理手段と、
前記編集画面送信手段により前記編集画面を前記端末に対して送信するに際し、該端末を使用するユーザを前記特定の閲覧者として選択した端末があれば、該端末にて編集されたサイトをリンク先とするＵＲＬリンクを、前記編集画面に挿入するリンク挿入手段とを有することを特徴とするサイト管理システム。
【請求項２】
前記サイト管理サーバは、
前記特定の閲覧者の候補となるユーザを選択するための閲覧候補者選択画面を前記端末に対して送信する閲覧候補者選択画面送信手段をさらに有し、
前記ユーザ管理手段は、前記複数のユーザごとに、該ユーザの端末にて前記閲覧候補者選択画面上で候補者として選択されたユーザの一覧を表す閲覧候補者リストを管理し、
前記閲覧者選択画面送信手段は、前記特定の閲覧者となるユーザを前記閲覧候補者リストの中から選択するための閲覧者選択画面を前記端末に対して送信することを特徴とする、請求項１に記載のサイト管理システム。
【請求項３】
前記サイトはブログであることを特徴とする、請求項１または２に記載のサイト管理システム。
【請求項４】
複数の端末の各々にて編集される複数のサイトを管理するサイト管理サーバにおいて、
前記サイトを編集するための編集画面を前記端末に対して送信する編集画面送信手段と、
前記端末にて前記編集画面上でサイトが編集された後に、編集されたサイトを閲覧させる特定の閲覧者となるユーザを選択するための閲覧者選択画面を前記端末に対して送信する閲覧者選択画面送信手段と、
前記複数の端末の各々を使用する複数のユーザごとに、該ユーザを前記特定の閲覧者として前記閲覧者選択画面上で選択した端末にて編集されたサイトを管理するユーザ管理手段と、
前記編集画面送信手段により前記編集画面を前記端末に対して送信するに際し、該端末を使用するユーザを前記特定の閲覧者として選択した端末があれば、該端末にて編集されたサイトをリンク先とするＵＲＬリンクを、前記編集画面に挿入するリンク挿入手段とを有することを特徴とするサイト管理サーバ。
【請求項５】
前記特定の閲覧者の候補となるユーザを選択するための閲覧候補者選択画面を前記端末に対して送信する閲覧候補者選択画面送信手段をさらに有し、
前記ユーザ管理手段は、前記複数のユーザごとに、該ユーザの端末にて前記閲覧候補者選択画面上で候補者として選択されたユーザの一覧を表す閲覧候補者リストを管理し、
前記閲覧者選択画面送信手段は、前記特定の閲覧者となるユーザを前記閲覧候補者リストの中から選択するための閲覧者選択画面を前記端末に対して送信することを特徴とする、請求項４に記載のサイト管理サーバ。
【請求項６】
前記サイトはブログであることを特徴とする、請求項４または５に記載のサイト管理サーバ。
【請求項７】
複数の端末の各々にて編集される複数のサイトを管理するサイト管理サーバによるサイト管理方法において、
前記サイトを編集するための編集画面を前記端末に対して送信する編集画面送信ステップと、
前記端末にて前記編集画面上でサイトが編集された後に、編集されたサイトを閲覧させる特定の閲覧者となるユーザを選択するための閲覧者選択画面を前記端末に対して送信する閲覧者選択画面送信ステップと、
前記複数の端末の各々を使用する複数のユーザごとに、該ユーザを前記特定の閲覧者として前記閲覧者選択画面上で選択した端末にて編集されたサイトを管理する管理ステップと、
前記編集画面を前記端末に対して送信するに際し、該端末を使用するユーザを前記特定の閲覧者として選択した端末があれば、該端末にて編集されたサイトをリンク先とするＵＲＬリンクを、前記編集画面に挿入するリンク挿入ステップとを有することを特徴とするサイト管理方法。
【請求項８】
前記特定の閲覧者の候補となるユーザを選択するための閲覧候補者選択画面を前記端末に対して送信する閲覧候補者選択画面送信ステップをさらに有し、
前記管理ステップでは、前記複数のユーザごとに、該ユーザの端末にて前記閲覧候補者選択画面上で候補者として選択されたユーザの一覧を表す閲覧候補者リストを管理し、
前記閲覧者選択画面送信ステップでは、前記特定の閲覧者となるユーザを前記閲覧候補者リストの中から選択するための閲覧者選択画面を前記端末に対して送信することを特徴とする、請求項７に記載のサイト管理方法。
【請求項９】
前記サイトはブログであることを特徴とする、請求項７または８に記載のサイト管理方法。
【請求項１０】
複数の端末の各々にて編集される複数のサイトを管理するサイト管理サーバに、
前記サイトを編集するための編集画面を前記端末に対して送信する編集画面送信ステップと、
前記端末にて前記編集画面上でサイトが編集された後に、編集されたサイトを閲覧させる特定の閲覧者となるユーザを選択するための閲覧者選択画面を前記端末に対して送信する閲覧者選択画面送信ステップと、
前記複数の端末の各々を使用する複数のユーザごとに、該ユーザを前記特定の閲覧者として前記閲覧者選択画面上で選択した端末にて編集されたサイトを管理する管理ステップと、
前記編集画面を前記端末に対して送信するに際し、該端末を使用するユーザを前記特定の閲覧者として選択した端末があれば、該端末にて編集されたサイトをリンク先とするＵＲＬリンクを、前記編集画面に挿入するリンク挿入ステップとを実行させることを特徴とするプログラム。
【請求項１１】
前記サイト管理サーバに、前記特定の閲覧者の候補となるユーザを選択するための閲覧候補者選択画面を前記端末に対して送信する閲覧候補者選択画面送信ステップをさらに実行させ、
前記管理ステップでは、前記複数のユーザごとに、該ユーザの端末にて前記閲覧候補者選択画面上で候補者として選択されたユーザの一覧を表す閲覧候補者リストを管理し、
前記閲覧者選択画面送信ステップでは、前記特定の閲覧者となるユーザを前記閲覧候補者リストの中から選択するための閲覧者選択画面を前記端末に対して送信することを特徴とする、請求項１０に記載のプログラム。
【請求項１２】
前記サイトはブログであることを特徴とする、請求項１０または１１に記載のプログラム。
【発明の詳細な説明】
【技術分野】
【０００１】
本発明は、ブログなどのＷｅｂサイトを閲覧するためのサイト管理システム、サイト管理サーバ、サイト管理方法、プログラムに関する。
【背景技術】
【０００２】
Ｗｅｂサイトの１つに、ブログと呼ばれるＷｅｂサイトがある。ブログとは、個人が自分にあった出来事や時事的な出来事などに関して、意見や批評などを日記形式で公開するＷｅｂサイトのことであり、適宜新たな内容に更新される。
【０００３】
最近、数多くのブログが開設されており、これに伴い、ブログに関する技術が数多く開示されている。例えば、特許文献１には、ブログに他のＷｅｂサイトへのリンクを挿入することを容易にする技術が開示されている。
【特許文献１】特開２００５−３３９３８５号公報
【発明の開示】
【発明が解決しようとする課題】
【０００４】
ところで、ブログは、一般に、不特定多数の閲覧者に対して公開されるものである。そのため、実際の閲覧者がブログにコメントを残していった場合などを除き、実際の閲覧者を把握することはできない。
【０００５】
このような状況の下では、自分のブログを特定の閲覧者に対してのみ公開することができれば、実際の閲覧者も公開された範囲内の閲覧者に限定されるため、実際の閲覧者を把握し易くなると考えられる。
【０００６】
しかしながら、特許文献１に開示された技術は、自分のブログの閲覧者を他のＷｅｂサイトに誘導することを目的としているため、自分のブログを特定の閲覧者に対してのみ公開することができないという課題がある。
【０００７】
その他にも、プロバイダ側から見た時に、全く更新されないブログが数多く存在するという課題がある。
【０００８】
そこで、本発明の目的は、ブログなどのＷｅｂサイトを特定の閲覧者に対してのみ公開することができるとともに、更新されないＷｅｂサイトを減少させることができるサイト管理システム、サイト管理サーバ、サイト管理方法、プログラムを提供することにある。
【課題を解決するための手段】
【０００９】
上記目的を達成するために本発明は、
複数のユーザの各々により使用される複数の端末と、前記複数の端末の各々にて編集される複数のサイトを管理するサイト管理サーバとを有してなるサイト管理システムにおいて、
前記サイト管理サーバは、
前記サイトを編集するための編集画面を前記端末に対して送信する編集画面送信手段と、
前記端末にて前記編集画面上でサイトが編集された後に、編集されたサイトを閲覧させる特定の閲覧者となるユーザを選択するための閲覧者選択画面を前記端末に対して送信する閲覧者選択画面送信手段と、
前記複数のユーザごとに、該ユーザを前記特定の閲覧者として前記閲覧者選択画面上で選択した端末にて編集されたサイトを管理するユーザ管理手段と、
前記編集画面送信手段により前記編集画面を前記端末に対して送信するに際し、該端末を使用するユーザを前記特定の閲覧者として選択した端末があれば、該端末にて編集されたサイトをリンク先とするＵＲＬリンクを、前記編集画面に挿入するリンク挿入手段とを有することを特徴とするものである。
【００１０】
この構成によれば、ユーザがサイトを編集するための編集画面には、そのユーザを特定の閲覧者として選択した端末にて編集された他のサイトのＵＲＬリンクが挿入されるため、そのＵＲＬリンクをクリックすることで他のサイトを容易に閲覧可能になる。よって、ユーザが選択した特定の閲覧者に対してのみ、自分のサイトを公開することができる。
【００１１】
また、ユーザが自分のブログを特定の閲覧者に閲覧してもらえる可能性が高まるため、ブログを更新する意欲が高まると考えられ、それにより、更新されないサイトが減少することが期待される。
【００１２】
なお、前記サイト管理サーバは、
前記特定の閲覧者の候補となるユーザを選択するための閲覧候補者選択画面を前記端末に対して送信する閲覧候補者選択画面送信手段をさらに有し、
前記ユーザ管理手段は、前記複数のユーザごとに、該ユーザの端末にて前記閲覧候補者選択画面上で候補者として選択されたユーザの一覧を表す閲覧候補者リストを管理し、
前記閲覧者選択画面送信手段は、前記特定の閲覧者となるユーザを前記閲覧候補者リストの中から選択するための閲覧者選択画面を前記端末に対して送信することとしても良い。
【００１３】
また、前記サイトはブログであっても良い。
【発明の効果】
【００１４】
上記のように構成された本発明によれば、サイト管理サーバは、サイトを閲覧させる特定の閲覧者を選択するための閲覧者選択画面を端末に対して送信し、ユーザごとに、該ユーザを特定の閲覧者として選択した端末にて編集されたサイトを管理する。そして、サイト管理サーバは、サイトを編集するための編集画面を端末に対して送信するに際し、該端末を使用するユーザを特定の閲覧者として選択した端末があれば、該端末にて編集されたサイトをリンク先とするＵＲＬリンクを編集画面に挿入する。
【００１５】
このように、ユーザがサイトを編集するための編集画面には、そのユーザを特定の閲覧者として選択した端末にて編集された他のサイトのＵＲＬリンクが挿入されることになるため、そのＵＲＬリンクをクリックすることで他のサイトを容易に閲覧可能になる。
【００１６】
したがって、ユーザが、自分のサイトを、選択した特定の閲覧者に対してのみ公開することができるという効果が得られる。
【００１７】
また、ユーザが自分のブログを特定の閲覧者に閲覧してもらえる可能性が高まるため、ブログを更新する意欲が高まると考えられ、それにより、更新されないサイトを減少させることができるという効果が得られる。
【発明を実施するための最良の形態】
【００１８】
以下に、本発明を実施するための最良の形態について図面を参照して説明する。なお、本実施形態では、Ｗｅｂサイトがブログであるものとして説明するが、本発明はこれに限定されず、ブログ以外のＷｅｂサイトにも適用可能である。
（第１の実施形態）
図１を参照すると、本実施形態のサイト管理システムは、ユーザａ〜ｅの各々が使用するユーザ端末１０Ａ〜１０Ｅと、サイト管理サーバ２０とから構成されている。ユーザ端末１０Ａ〜１０Ｅとサイト管理サーバ２０とは、インターネット等であるネットワーク３０を介して接続されている。なお、図１では、説明の便宜のために、５つのユーザ端末１０Ａ〜１０Ｅを図示しているが、ユーザ端末の数は特に限定されない。
【００１９】
ユーザ端末１０Ａ〜１０Ｅは、本サービスの会員であるユーザａ〜ｅが自分のブログを編集したり、他のユーザのブログを閲覧したりするために使用するパーソナルコンピュータなどの情報処理端末であり、通信部１０１、表示部１０２、および入力部１０３から構成されている。
【００２０】
通信部１０１は、ネットワーク３０とのインタフェース部分である。
【００２１】
表示部１０２は、サイト管理サーバ２０からネットワーク３０を介して受信した画面を表示するディスプレイなどである。
【００２２】
入力部１０３は、表示部１０２に表示された画面上で入力を行うためのキーボード、マウスなどである。
【００２３】
なお、図１では、本発明を実施するためのユーザ端末１０Ａの要部の構成のみが示されており、その他の構成は省略されている。
【００２４】
サイト管理サーバ２０は、プロバイダが使用するサーバであり、通信部２０１、ユーザ情報ＤＢ（データベース）２０２、ユーザ情報管理部２０３、テンプレートＤＢ２０４、閲覧候補者選択画面送信部２０５、ユーザ情報挿入部２０６、編集画面送信部２０７、閲覧者選択画面送信部２０８、リンク挿入部２０９、サイトＤＢ２１０、およびサイト管理部２１１から構成されている。
【００２５】
通信部２０１は、ネットワーク３０とのインタフェース部分である。
【００２６】
ユーザ情報ＤＢ２０２は、ユーザ端末１０Ａ〜１０Ｅを使用するユーザごとに、ユーザＩＤ、メールアドレス、ニックネーム、趣味、自分のブログなどのユーザ情報を格納する。ユーザ情報ＤＢ２０２に格納される他のユーザ情報については後述する。
【００２７】
ユーザ情報管理部２０３は、ユーザ情報ＤＢ２０２にユーザ情報を登録し管理する。
【００２８】
テンプレートＤＢ２０４は、ユーザ端末１０Ａ〜１０Ｅに送信する画面作成用のテンプレートを格納する。
【００２９】
閲覧候補者選択画面送信部２０５は、ブログを閲覧させる候補者となる閲覧候補者を選択するための閲覧候補者選択画面を作成し、ユーザ端末１０Ａ〜１０Ｅに対して送信する。閲覧候補者選択画面のテンプレートは、テンプレートＤＢ２０４に格納されたものを用いる。ユーザ端末１０Ａ〜１０Ｅにて閲覧候補者選択画面上で閲覧候補者となるユーザが選択されると、ユーザ情報管理部２０３は、閲覧候補者選択画面上で閲覧候補者として選択されたユーザの一覧を表す閲覧候補者リストを、ユーザ情報ＤＢ２０２にユーザ情報として登録し管理する。
【００３０】
ユーザ情報挿入部２０６は、閲覧候補者選択画面を作成する場合、各ユーザａ〜ｅのユーザ情報をユーザ情報ＤＢ２０２から読み出して閲覧候補者選択画面に挿入する。また、ユーザ情報挿入部２０６は、ユーザａ〜ｅに個別の画面（閲覧候補者選択画面、編集画面、閲覧者選択画面）を作成する場合、そのユーザに固有の情報（ユーザＩＤ、ブログのＵＲＬなど）をユーザ情報ＤＢ２０２から読み出して画面に挿入する。
【００３１】
編集画面送信部２０７は、ブログを編集するための編集画面を作成し、ユーザ端末１０Ａ〜１０Ｅに対して送信する。編集画面のテンプレートは、テンプレートＤＢ２０４に格納されたものを用いる。
【００３２】
閲覧者選択画面送信部２０８は、ユーザ端末１０Ａ〜１０Ｅにて編集画面上でブログが編集された後に、編集されたブログを閲覧させる閲覧者を選択するための閲覧者選択画面を作成し、ユーザ端末１０Ａ〜１０Ｅに対して送信する。詳細には、閲覧者選択画面送信部２０８は、ユーザ情報ＤＢ２０２から閲覧候補者リスト読み出し、閲覧候補者リストの中から閲覧者を選択させる閲覧者選択画面を作成する。閲覧者選択画面のテンプレートは、テンプレートＤＢ２０４に格納されたものを用いる。ユーザ端末１０Ａ〜１０Ｅにて閲覧者選択画面上で閲覧者となるユーザが選択されると、ユーザ情報管理部２０３は、閲覧者選択画面上でそのユーザを閲覧者として選択したユーザ端末にて編集されたブログを、ユーザ情報ＤＢ２０２にユーザ情報として登録し管理する。その結果、ユーザ情報ＤＢ２０２には、図２に示すような情報が格納されることになる。
【００３３】
リンク挿入部２０９は、編集画面送信部２０７により編集画面をユーザ端末１０Ａ〜１０Ｅのいずれかに対して送信する場合、そのユーザ端末を使用するユーザを閲覧者として選択したユーザ端末にて編集されたブログをリンク先とするＵＲＬリンクをユーザ情報ＤＢ２０２から読み出し、編集画面に挿入する。
【００３４】
サイトＤＢ２１０は、編集画面上で編集されたブログの画面を格納する。
【００３５】
サイト管理部２１１は、サイトＤＢ２１０にブログの画面を登録し管理する。また、ユーザ端末１０Ａ〜１０Ｅのいずれかにて編集画面に挿入されたＵＲＬリンクがクリックされると、そのリンク先のブログの画面をサイトＤＢ２１０から読み出し、該当するユーザ端末に送信する。
【００３６】
以下、本実施形態のサイト管理システムの動作について、図３のフローチャートに沿って説明する。ここでは、ユーザ端末１０Ａ，１０Ｂの動作を例に挙げて説明するが、ユーザ端末１０Ｃ〜１０Ｅも同様の動作を行う。
【００３７】
まず、ユーザａは、ユーザ端末１０Ａを使用して、サイト管理サーバ２０で管理されている自分のブログ管理ページにアクセスし、閲覧候補者選択画面の送信を要求する（ステップ３０１）。すると、閲覧候補者選択画面送信部２０５は、ユーザａ以外のユーザｂ〜ｅの中から閲覧候補者を選択するための閲覧候補者選択画面を作成し、ユーザ端末１０Ａに送信する（ステップ３０２）。
【００３８】
次に、ユーザａは、ユーザ端末１０Ａを使用して、閲覧候補者選択画面上で、閲覧候補者を選択する（ステップ３０３）。ここでは、図４に示すような閲覧候補者選択画面上で、ユーザｂ，ｃ，ｄを閲覧候補者として選択したとする。すると、ユーザ情報管理部２０３は、ユーザｂ，ｃ，ｄを閲覧候補者とする閲覧候補者リストを、ユーザ情報ＤＢ２０２に登録する（ステップ３０４）。
【００３９】
次に、ユーザａは、ユーザ端末１０Ａを使用して、編集画面の送信を要求する（ステップ３０５）。すると、編集画面送信部２０７は、ブログを編集するための編集画面を作成する。また、リンク挿入部２０９は、ユーザａを閲覧者として選択したブログがあるか判断する（ステップ３０６）。ここでは、ユーザｄのブログｄ１とユーザｅのブログｅ１が、ユーザａを閲覧者として選択しているものとする。そこで、リンク挿入部２０９は、ブログｄ１とブログｅ１をリンク先とするＵＲＬリンクを編集画面に挿入する（ステップ３０７）。その後に、編集画面送信部２０７は、編集画面をユーザ端末１０Ａに送信する（ステップ３０８）。
【００４０】
次に、ユーザａは、ユーザ端末１０Ａを使用して、編集画面上でブログの編集を行う（ステップ３０９）。ここでは、図５に示すような編集画面上でブログの記事を作成し、図６に示すような編集画面上で編集内容を確認したとする。
【００４１】
次に、ユーザａは、ユーザ端末１０Ａを使用して、閲覧者選択画面の送信を要求する（ステップ３１０）。ここでは、図６に示すような編集画面上で“次へ”をクリックすることで閲覧者選択画面の送信を要求したとする。すると、閲覧者選択画面送信部２０８は、閲覧候補者であるユーザｂ，ｃ，ｄの中から閲覧者を選択するための閲覧者選択画面を作成し、ユーザ端末１０Ａに送信する（ステップ３１１）。
【００４２】
次に、ユーザａは、ユーザ端末１０Ａを使用して、閲覧者選択画面上で、閲覧者を選択する（ステップ３０３）。ここでは、図７に示すような閲覧者選択画面上で、ユーザｂ，ｃを閲覧者として選択し、選択した閲覧者にのみ公開する公開方法を選択したとする。すると、ユーザ情報管理部２０３は、ユーザｂ，ｃを閲覧者としてユーザ情報ＤＢ２０２に登録する（ステップ３１３）。その結果、ユーザ情報ＤＢ２０２には、図２に示すような情報が格納されることになる。
【００４３】
このような状態で、すでに閲覧候補者の登録が完了しているユーザｂが、ユーザ端末１０Ｂを使用して、編集画面の送信を要求したとする（ステップ３１４）。すると、編集画面送信部２０７は編集画面を作成する。また、リンク挿入部２０９は、ユーザｂを閲覧者として選択したブログがあるか判断する（ステップ３１５）。ここでは、ユーザａのブログａ１とユーザｃのブログｃ１とユーザｄのブログｄ１とが、ユーザｂを閲覧者として選択しているものとする。そこで、リンク挿入部２０９は、ブログａ１とブログｃ１とブログｄ１とをリンク先とするＵＲＬリンクを編集画面に挿入する（ステップ３１６）。その後に、編集画面送信部２０７は、編集画面をユーザ端末１０Ｂに送信する（ステップ３１７）。
【００４４】
次に、ユーザｂは、ユーザ端末１０Ｂを使用して、編集画面上でブログの編集を行う。ただし、ここでは、編集を中断して、図８に示すような編集画面に挿入されたブログａ１へのＵＲＬリンクをクリックしたとする（ステップ３１８）。すると、サイト管理部２１１は、ブログａ１の画面をユーザ端末１０Ｂに送信する（ステップ３１９）。
【００４５】
以上により、ユーザａは、自分のブログの閲覧者として選択したユーザｂ，ｃに対してのみ、自分のブログを公開することができるようになる。
【００４６】
上述したように本実施形態においては、サイト管理サーバ２０は、ブログを閲覧させる特定の閲覧者を選択するための閲覧者選択画面をユーザ端末に対して送信し、ユーザごとに、そのユーザを閲覧者として選択したユーザ端末にて編集されたブログを管理する。そして、サイト管理サーバ２０は、ブログを編集するための編集画面をユーザ端末に対して送信するに際し、そのユーザ端末を使用するユーザを閲覧者として選択したユーザ端末があれば、そのユーザ端末にて編集されたブログをリンク先とするＵＲＬリンクを編集画面に挿入する。
【００４７】
これにより、ユーザは、自分のブログの閲覧者として選択したユーザに対してのみ、自分のブログを公開することができるようになる。
【００４８】
また、ユーザが自分で閲覧者として選択したユーザに閲覧してもらえる可能性が高まるため、ブログを更新する意欲が高まると考えられ、それにより、更新されないサイトが減少することが期待される。
【００４９】
なお、本実施形態においては、本サービスの会員であるユーザａ〜ｅの中から閲覧者として選択したユーザにのみブログを公開する方法、または、本サービスの会員であるか否かに拘わらず広く一般に公開する方法のいずれかが選択可能である。
【００５０】
しかし、本発明はこれに限定されず、上述した２つの公開方法を併用することもできる。例えば、更新前のブログについては一般に公開し、更新後のブログについては選択した閲覧者のみに公開することができる。そのためには、例えば、更新後のブログについては、編集画面に挿入されたＵＲＬリンクからサイト管理サーバ２０にアクセスしてきたユーザ端末に対してのみ公開を行い、更新前のブログについては、サイト管理サーバ２０にアクセスしてきたユーザ端末に対してアクセス方法に拘わらず公開を行う。この場合、サイト管理部２１１は、更新前後のブログの画面をサイトＤＢ２１０に登録して管理し、サイト管理サーバ２０にアクセスしてきたユーザ端末に対して、そのアクセス方法に応じて更新前後のブログのいずれかの画面を送信する。
【００５１】
なお、本発明においては、サイト管理サーバ２０の内部に、上記で説明した処理を実行するためのプログラムを記録した記録媒体を設けてもよい。この記録媒体は磁気ディスク、半導体メモリまたはその他の記録媒体であってもよい。このプログラムは、記録媒体からサイト管理サーバ２０に読み込まれ、サイト管理サーバ２０の動作を制御する。具体的には、サイト管理サーバ２０内の不図示のＣＰＵ（Central Processing Unit）がプログラムの制御によりサイト管理サーバ２０内のハードウェア資源に特定の処理を行うよう指示することにより上記の処理が実現される。
【図面の簡単な説明】
【００５２】
【図１】本発明の一実施形態のサイト管理システムの構成を示す図である。
【図２】図１に示したユーザ情報ＤＢに格納されるユーザ情報の一例を示す図である。
【図３】図１に示したサイト管理システムの動作を説明するフローチャートである。
【図４】図１に示した閲覧候補者選択画面送信部により送信される閲覧候補者選択画面の一例を示す図である。
【図５】図１に示した編集画面送信部により送信される編集画面（作成）の一例を示す図である。
【図６】図１に示した編集画面送信部により送信される編集画面（確認）の一例を示す図である。
【図７】図１に示した閲覧者選択画面送信部により送信される閲覧者選択画面の一例を示す図である。
【図８】図１に示した編集画面送信部により送信される編集画面（作成）の他の例を示す図である。
【図９】図１に示したサイト管理部により送信されるブログ画面の一例を示す図である。
【符号の説明】
【００５３】
１０Ａ〜１０Ｅ    ユーザ端末
２０    サイト管理サーバ
３０    ネットワーク
１０１    通信部
１０２    表示部
１０３    入力部
２０１    通信部
２０２    ユーザ情報ＤＢ
２０３    ユーザ情報管理部
２０４    テンプレートＤＢ
２０５    閲覧候補者選択画面送信部
２０６    ユーザ情報挿入部
２０７    編集画面送信部
２０８    閲覧者選択画面送信部
２０９    リンク挿入部
２１０    サイトＤＢ
２１１    サイト管理部
【図１】
2007219718.tif 000003
【図２】
2007219718.tif 000004
【図３】
2007219718.tif 000005
【図４】
2007219718.tif 000006
【図５】
2007219718.tif 000007
【図６】
2007219718.tif 000008
【図７】
2007219718.tif 000009
【図８】
2007219718.tif 000010
【図９】
2007219718.tif 000011